(57)【要約】【課題】回転部が破損する可能性を低減することができる送風装置および空気調和装置を提供する。【解決手段】送風装置７は、固定部と、回転部と、緩衝部７５２、７６２とを備えている。固定部は、モータ固定子７２０を有している。回転部は、モータ回転子７２１と、ファンロータ７１とを有している。モータ回転子７２１は、モータ固定子７２０により回転軸を中心に回転する。ファンロータ７１は、モータ回転子７２１と連結されている。また、ファンロータ７１は、回転軸方向に移動自在である。緩衝部７５２、７６２は、回転部と固定部との回転軸方向の衝突による衝撃を緩衝する。【選択図】図５
2008121688.tif 000002
【特許請求の範囲】
【請求項１】
モータ固定子（７２０）を有する固定部と、
前記モータ固定子（７２０）により回転軸を中心に回転するモータ回転子（７２１）と、前記モータ回転子（７２１）と連結され回転軸方向に移動自在であるファンロータ（７１）とを有する回転部と、
前記回転部と前記固定部との前記回転軸方向の衝突による衝撃を緩衝する緩衝部（７５２）と、
を備え、
前記緩衝部（７５２）は、前記モータ回転子（７２１）と当接して変形する部分と、前記回転軸（７１２）を軸支する軸受け（７５１）を支持する部分とを有し、
前記軸受け（７５１）は、前記緩衝部（７５２）を介して前記モータ固定子（７２０）内に配置され、
前記緩衝部（７５２）の前記モータ回転子（７２１）と当接して変形する部分が、前記モータ固定子（７２０）から前記モータ回転子（７２１）に向かって突出している、
送風装置（７）。
【請求項２】
前記緩衝部（７５２）が、弾性体である、
請求項１に記載の送風装置（７）。
【請求項３】
前記モータ固定子（７２０）の一部を包むゴム製の保持部材（７２６）をさらに備え、
前記モータ固定子（７２０）は、前記保持部材（７２６）を介して前記固定部に支持される、
請求項１に記載の送風装置（７）。
【請求項４】
前記モータ回転子（７２１，８２１）は、前記モータ固定子（７２０，８２０）の径方向外方に配置される、
請求項１から３のいずれかに記載の送風装置（７，１０７）。
【請求項５】
調和された空気を屋内に供給するための空気調和装置であって、
空気を調和する空気調和部（５０，１５０）と、
前記空気調和部（５０，１５０）において調和される空気を送風する請求項１から４のいずれかに記載の送風装置（７，１０７）と、
を備える空気調和装置（１，１０１）。
【発明の詳細な説明】
【技術分野】
【０００１】
本発明は、送風装置および空気調和装置に関する。
【背景技術】
【０００２】
従来から、ビルや住宅等において調和された空気を屋内に送風することにより、屋内の快適性を向上させる空気調和装置が知られている。例えば、エアコンは、温風や冷風を屋内に送風することにより、室内を快適な温度に保つことができる。
【０００３】
このような空気調和装置には、屋内に調和された空気を送風するための送風装置が設けられている場合が多い（例えば、特許文献１参照。）。この送風装置には、モータ固定子を有する固定部と、モータ回転子とファンロータとを有する回転部とが備えられている。モータ回転子は、モータ固定子により回転軸を中心に回転される。ファンロータは、モータ回転子の回転駆動力を伝達可能なようにモータ回転子に連結されている。このような送風装置では、屋内に空気を送風するために、まず、モータ固定子がモータ回転子を回転させる。そして、この回転駆動力が、モータ回転子に連結されるファンロータに伝達され、ファンロータを回転させる。ファンロータが回転することにより調和後の空気が屋内に送風される。
【特許文献１】特開２００１−２７５３３０号公報
【発明の開示】
【発明が解決しようとする課題】
【０００４】
ところで、このような空気調和装置においては、回転部が、回転軸方向に移動自在に設置されている場合がある。この場合、空気調和装置の使用中には、モータ固定子の発生する磁力によりモータ回転子の回転軸方向の移動が制限されている。しかし、例えば搬送中などにおいては、回転部が、回転軸方向に移動し、固定部に衝突するおそれがある。このため、従来の送風装置においては、この衝突による衝撃によって回転部などの破損を防止するために、回転部などを高強度に設計する必要がある。
【０００５】
そこで、本発明では、簡易な構成により回転部などの破損を抑制することができる送風装置および空気調和装置を提供することを目的とする。
【課題を解決するための手段】
【０００６】
請求項１に記載の送風装置は、固定部と、回転部と、緩衝部とを備えている。固定部は、モータ固定子を有している。回転部は、モータ回転子と、ファンロータとを有している。モータ回転子は。モータ固定子により回転軸を中心に回転する。ファンロータは、モータ回転子と連結されている。また、ファンロータは、回転軸方向に移動自在である。緩衝部は、回転部と固定部との回転軸方向の衝突による衝撃を緩衝する。また、緩衝部は、モータ回転子と当接して変形する部分と、回転軸を軸支する軸受けを支持する部分とを有している。軸受けは、緩衝部を介してモータ固定子内に配置される。緩衝部のモータ回転子と当接して変形する部分は、モータ固定子からモータ回転子に向かって突出している。
【０００７】
この送風装置は、回転部と固定部との回転軸方向の衝突による衝撃を緩衝する緩衝部を備え、軸受けは、緩衝部を介してモータ固定子内に配置され、緩衝部のモータ回転子と当接して変形する部分が、モータ固定子からモータ回転子に向かって突出している。したがって、回転部が回転軸方向に移動することにより固定部と衝突することがあっても、この衝突による衝撃を緩衝部において緩衝することができる。このため、この送風装置では、簡易な構成により回転部などの破損を抑制することができる。そして、緩衝部の突出している部分がモータ回転子と当接して変形しても、軸受けを支持する部分は、モータ固定子内に配置されているので変形することがなく、軸受けへの支持が安定している。さらに、軸受けの振動が緩衝部に吸収され、モータ固定子への振動伝達が抑制されるので、モータ騒音が抑制される。
【０００８】
請求項２に記載の送風装置は、請求項１に記載の送風装置であって、緩衝部が弾性体である。
【０００９】
この送風装置では、弾性体により回転部と固定部との回転軸方向の衝突による衝撃を容易に緩衝することができる。このため、この送風装置では、簡易な構成により回転部などの破損をさらに抑制することができる。
【００１０】
請求項３に記載の送風装置は、請求項１に記載の送風装置であって、モータ固定子の一部を包むゴム製の保持部材をさらに備えている。モータ固定子は、保持部材を介して固定部に支持される。
【００１１】
この送風装置では、モータ固定子がゴム製の保持部材を介して固定部に支持されているので、モータ固定子の振動が固定部に直接伝達されず、騒音が低減される。
【００１２】
請求項４に記載の送風装置は、請求項１から３のいずれかに記載の送風装置であって、モータ回転子がモータ固定子の径方向外方に配置される。
【００１３】
ここでは、モータ回転子がモータ固定子の径方向外方に配置される。したがって、この送風装置では、回転軸方向の長さが短くなる。このため、送風装置の占めるスペースを低減することができる。
【００１４】
請求項５に記載の空気調和装置は、調和された空気を屋内に供給するための空気調和装置であって、空気調和部と、送風装置とを備えている。空気調和部は、空気を調和する。送風装置は、空気調和部において調和される空気を屋内に送風する。また、送風装置は、請求項１から４のいずれかに記載の送風装置である。
【００１５】
この空気調和装置では、回転部と固定部との衝突による衝撃を緩衝する緩衝部を備えている。したがって、回転部が回転軸方向に移動することにより固定部と衝突することがあっても、この衝突による衝撃を緩衝部において緩衝することができる。このため、この空気調和装置では、簡易な構成により回転部などの破損を抑制することができる。
【発明の効果】
【００１６】
以上の説明に述べたように、本発明によれば、以下の効果が得られる。
【００１７】
請求項１に係る発明では、回転部と固定部との回転軸方向の衝突による衝撃を緩衝する緩衝部を備え、軸受けは、緩衝部を介してモータ固定子内に配置され、緩衝部のモータ回転子と当接して変形する部分が、モータ固定子からモータ回転子に向かって突出している。したがって、回転部が回転軸方向に移動することにより固定部と衝突することがあっても、この衝突による衝撃を緩衝部において緩衝することができる。このため、この送風装置では、簡易な構成により回転部などの破損を抑制することができる。そして、緩衝部の突出している部分がモータ回転子と当接して変形しても、軸受けを支持する部分は、モータ固定子内に配置されているので変形することがなく、軸受けへの支持が安定している。さらに、軸受けの振動が緩衝部に吸収され、モータ固定子への振動伝達が抑制されるので、モータ騒音が抑制される。
【００１８】
請求項２に係る発明では、弾性体により回転部と固定部との回転軸方向の衝突による衝撃を容易に緩衝することができる。このため、この送風装置では、簡易な構成により回転部などの破損をさらに抑制することができる。
【００１９】
請求項３に係る発明では、モータ固定子がゴム製の保持部材を介して固定部に支持されているので、モータ固定子の振動が固定部に直接伝達されず、騒音が低減される。
【００２０】
請求項４に係る発明では、モータ回転子がモータ固定子の径方向外方に配置される。したがって、この送風装置では、回転軸方向の長さが短くなる。このため、送風装置が占めるスペースを低減することができる。
【００２１】
請求項５に係る発明では、回転部と固定部との衝突による衝撃を緩衝する緩衝部を備えている。したがって、回転部が回転軸方向に移動することにより固定部と衝突することがあっても、この衝突による衝撃を緩衝部において緩衝することができる。このため、この空気調和装置では、簡易な構成により回転部などの破損を抑制することができる。
【発明を実施するための最良の形態】
【００２２】
〔第１実施形態〕
＜空気調和装置の全体構成＞
本発明の一実施形態が採用された空気調和装置１の外観を図１に示す。
【００２３】
この空気調和装置１は、調和された空気を室内に供給するための装置である。空気調和装置１は、室内の壁面などに取り付けられる室内機２と、室外に設置される室外機３とを備えている。
【００２４】
室内機２内には室内熱交換器５０が収納され、室外機３内には室外熱交換器３０が収納される。また、各熱交換器３０、５０が冷媒配管４により接続されることにより冷媒回路を構成している。
【００２５】
＜空気調和装置の冷媒回路の概略構成＞
空気調和装置１の冷媒回路の構成を図２に示す。この冷媒回路は、主として室内熱交換器５０、アキュムレータ３１、圧縮機３２、四路切換弁３３、室外熱交換器３０および電動膨張弁３４で構成される。
【００２６】
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって中心軸を中心にして回転駆動される。室内機２の詳細な構成については後に説明する。
【００２７】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器５０の一端と接続される。また、四路切換弁３３は、ガス閉鎖弁３７を介して配管４２に接続されており、この配管４２を介して室内熱交換器５０の他端と接続されている。この配管４１、４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動される。
【００２８】
＜室内機の構成＞
室内機２は、正面視に置いて横方向に長い形状を有している（図１参照）。室内機２は、主として、上部ケーシング６、送風機構７および室内機２の内部に収容されている室内熱交換器ユニット５（図３参照）によって構成されている。上部ケーシング６は、室内機２の上部を覆っている。送風機構７は、室内機２の下部を構成している。
【００２９】
以下、図３を参照して、室内機２の各構成について説明する。
【００３０】
室内熱交換器ユニット５は、室内熱交換器５０、補助配管（図示せず）、等によって構成されている。
【００３１】
この室内熱交換器５０は、クロスフローファン７１の円周面に対向して配置されており、クロスフローファン７１の前方、上方および後方を取り囲むように取り付けられている。室内熱交換器５０は、クロスフローファン７１が回転することにより吸い込み口６０、６１から吸い込まれた空気をクロスフローファン７１側に通過させ、伝熱管の内部を通過する冷媒との間で熱交換を行わせる。
【００３２】
補助配管は、室内熱交換器５０と室内機２の外部にある冷媒配管４とを繋ぐ。この補助配管には、室内熱交換器５０と室外熱交換器３０との間を行き来する冷媒が流れる。
【００３３】
＜送風機構の構成＞
送風機構７は、室内熱交換器５０において熱交換された空気を室内に送風するための装置である。送風機構７は、室内機２の下部を構成しており、図３および図４に示すように、下部ケーシング７０、送風ユニット８等がモジュール化されて構成されている。
【００３４】
（下部ケーシング）
下部ケーシング７０は、外面部７９、支持部７８等によって構成されている。
【００３５】
外面部７９は、正面視において室内機２の外面として視野に現れる部分であり、上端が室内機２の前側に傾斜するように配置されている。また、外面部７９には、室内機２の長手方向に沿う開口からなる吹き出し口７４１が設けられている。この吹き出し口７４１は、図３に示すように、クロスフローファン７１が収納されている支持部７８の内部の空間に連通しており、クロスフローファン７１によって生成された空気流は吹き出し口７４１を通って室内へと吹き出す。また、吹き出し口７４１には、室内へと吹き出す空気が案内される水平フラップ７４２が設けられている。水平フラップ７４２は、室内機２の長手方向に平行な軸を中心に回動自在に設けられている。この水平フラップ７４２は、フラップモータ（図示せず）によって回転駆動されることにより、吹き出し口７４１の開閉を行うことができる。
【００３６】
支持部７８は、外面部７９によって囲まれている。支持部７８には、上方から送風ユニット８、電装品箱７３、室内熱交換器ユニット５等が取り付けられる。そして、支持部７８は、送風ユニット８、電装品箱７３、室内熱交換器ユニット５等を下方から支持する。
【００３７】
＜送風ユニット＞
送風ユニット８は、クロスフローファン７１と、クロスフローファン７１を回転させるための室内ファンモータ７２と、室内ファンモータ７２の駆動を制御するための電装品を収納する電装品箱７３と、クロスフローファン７１を支持するための軸受け部７４とを有している。
【００３８】
（クロスフローファン）
クロスフローファン７１は、ＡＳ樹脂などの樹脂製品であり、長細い円筒形状に構成される。このクロスフローファン７１は、中心軸すなわち回転軸Ａ１が水平になるように配置される。また、クロスフローファン７１は、図５に示すように、エンドプレート７１０、７１１と、第１シャフト７１２と、第２シャフト７１３と、羽部７１４とを有している。エンドプレート７１０、７１１は、クロスフローファン７１の両端に設けられている。エンドプレート７１０は、クロスフローファン７１と後述するロータ７２１との連結のために、クロスフローファン７１に設けられている。第１シャフト７１２はエンドプレート７１０の略中央、回転軸Ａ１上に配置され、エンドプレート７１０に連結されている。第２シャフト７１３はエンドプレート７１１の略中央、回転軸Ａ１上に配置され、エンドプレート７１１に連結されている。これら第１シャフト７１２と第２シャフト７１３とは、クロスフローファン７１が回転する際の回転軸となる。羽部７１４は、クロスフローファン７１の両端に設けられるエンドプレート７１０の間に配置され、近傍の空気を押すことにより空気流を発生させる。
【００３９】
このようなクロスフローファン７１が回転軸周りに回転することにより、空気流を生成する。この空気流は、吸い込み口６０、６１から取り入れられ室内熱交換器５０を通り吹き出し口７４１から室内へと吹き出す空気の流れである。クロスフローファン７１は、側面視において室内機２の概ね中央に位置している。
【００４０】
（室内ファンモータ）
室内ファンモータ７２は、クロスフローファン７１を回転軸周りに回転駆動する。室内ファンモータ７２は、図４に示すような、薄型アウターロータ型のモータである。この室内ファンモータ７２は、図５に示すように、ステータ７２０と、ロータ７２１とを有している。
【００４１】
ステータ７２０は、ロータ７２１を回転させるためのものであり、磁界を発生させるための図示しない鉄心やコイルなどを有する。ステータ７２０は、さらに、爪部７２５を有している（図４参照）。ステータ７２０は、この爪部７２５を包むゴム製の保持部材７２６を介して支持部７８に支持される。
【００４２】
ロータ７２１は、微小な磁石粒を含む樹脂により形成されており、ステータ７２０の発生する磁界により回転軸Ａ１を中心に回転する。このロータ７２１は、カシメ、ネジ、リベット、ピンなどで固定されることにより、もしくは、接着剤により互いに接着されることにより、クロスフローファン７１と連結されている。また、ロータ７２１は、ステータ７２０の径方向外方に配置されている。
【００４３】
（軸受け部）
軸受け部７４は、ステータ軸受け部７５と、支持部軸受け部７６とを有する（図５参照）。ステータ軸受け部７５には、第１軸受け７５１と、第１軸受け保持部７５２とが設けられている。支持部軸受け部７６には、第２軸受け７６１と、第２軸受け保持部７６２とが設けられている。
【００４４】
第１軸受け７５１は、樹脂製の部材であって、ステータ７２０の略中央部に配置される。この第１軸受け７５１は、クロスフローファン７１が回転軸Ａ１方向に移動できるように第１シャフト７１２を軸支している。第１軸受け保持部７５２は、ゴム製の円筒形状の部品であって、クロスフローファン７１の回転による第１軸受け７５１の振動を抑制するように第１軸受け７５１を支持している。さらに、第１軸受け保持部７５２は、クロスフローファン７１のエンドプレート７１０に対向するステータ対向面Ｐ１からクロスフローファン７１のエンドプレート７１０に向かって突出している。また、ロータ７２１の円滑な回転のためには、ロータ７２１の回転時において、ロータ７２１と第１軸受け保持部７５２とが当接しないことが望ましい。
【００４５】
第２軸受け７６１は、第１軸受け７５１と同様の樹脂製の部材であって、クロスフローファン７１のエンドプレート７１１と対向する支持部７８の一部に設けられる。この第２軸受け７６１は、クロスフローファン７１が回転軸Ａ１方向に移動できるように第２シャフト７１３を軸支している。第２軸受け保持部７６２は、第１軸受け保持部７５２と同様なゴム製の円筒形状の部品であって、クロスフローファン７１の回転による第２軸受け７６１の振動を抑制するように第２軸受け７６１を支持している。さらに、第２軸受け保持部７６２は、クロスフローファン７１のエンドプレート７１１に対向する支持部対向面Ｐ２からクロスフローファン７１のエンドプレート７１１に向かって突出している。また、クロスフローファン７１の円滑な回転のためには、クロスフローファン７１の回転時において、エンドプレート７１１と第２軸受け保持部７６２とが当接しないことが望ましい。
【００４６】
＜クロスフローファンとロータとの移動＞
以下に、クロスフローファン７１とロータ７２１とが回転軸Ａ１方向に移動する場合における各部の動きについて、図６〜図１１を参照して説明する。
【００４７】
初めに、クロスフローファン７１とロータ７２１とが、ステータ７２０に向かって移動する場合について説明する。まず、クロスフローファン７１とロータ７２１とが、ステータ７２０に向かって移動しはじめる（図６参照）。その後、ロータ７２１と第１軸受け保持部７５２とが当接する（図７参照）。そして、第１軸受け保持部７５２が変形することにより、クロスフローファン７１とロータ７２１との運動エネルギが低減される（図８参照）。ロータ７２１から第１軸受け保持部７５２へ押圧されなくなると、第１軸受け保持部７５２の形状は復元される。
【００４８】
次に、クロスフローファン７１とロータ７２１とが、支持部７８に向かって移動する場合について説明する。まず、クロスフローファン７１とロータ７２１とが、支持部７８に向かって移動しはじめる（図９参照）。その後、クロスフローファン７１のエンドプレート７１１と第２軸受け保持部７６２とが当接する（図１０参照）。そして、第２軸受け保持部７６２が変形することにより、クロスフローファン７１とロータ７２１との運動エネルギが低減される（図１１参照）。エンドプレート７１１から第２軸受け保持部７６２へ押圧されなくなると、第２軸受け保持部７６２の形状は復元される。
【００４９】
＜本空気調和装置の特徴＞
（１）
この空気調和装置１では、第１軸受け保持部７５２が、ロータ７２１からステータ７２０に向かう方向のクロスフローファン７１とロータ７２１との運動エネルギを低減する。したがって、例えば空気調和装置１の搬送時などにおいて、ロータ７２１がステータ７２０に向かって移動することがあっても、第１軸受け保持部７５２は、ロータ７２１とステータ７２０との回転軸Ａ１方向の衝突による衝撃を緩衝することができる。
【００５０】
また、第２軸受け保持部７６２が、クロスフローファン７１から支持部７８に向かう方向のクロスフローファン７１とロータ７２１との運動エネルギを低減する。したがって、例えば空気調和装置１の搬送時などにおいて、クロスフローファン７１が支持部７８に向かって移動することがあっても、第２軸受け保持部７６２は、クロスフローファン７１と支持部７８との回転軸Ａ１方向の衝突による衝撃を緩衝することができる。
【００５１】
このため、この空気調和装置１では、簡易な構成によりクロスフローファン７１とロータ７２１との破損が抑制される。
【００５２】
（２）
この空気調和装置１では、第１軸受け保持部７５２と第２軸受け保持部７６２とが、弾性体であるゴムから形成されている。したがって、第１軸受け保持部７５２と第２軸受け保持部７６２とが、クロスフローファン７１とロータ７２１との運動エネルギを容易に低減することができる。
【００５３】
このため、この空気調和装置１では、簡易な構成によりクロスフローファン７１とロータ７２１との破損が抑制される。
【００５４】
（３）
この空気調和装置１では、第１軸受け保持部７５２が、クロスフローファン７１の第１シャフト７１２を軸支する第１軸受け７５１を支持している。また、第２軸受け保持部７６２が、クロスフローファン７１の第２シャフト７１３を軸支する第２軸受け７６１を支持している。したがって、第１軸受け保持部７５２が、ロータ７２１とステータ７２０との衝突による衝撃の緩衝と、第１軸受け７５１の支持との２つの機能を有している。また、第２軸受け保持部７６２が、クロスフローファン７１と支持部７８との衝突による衝撃の緩衝と、第２軸受け７６１の支持との２つの機能を有している。つまり、第１軸受け７５１と第２軸受け７６１との支持のために別部材を設ける必要がない。このため、この空気調和装置１では、送風ユニット８の構成が簡略化される。
【００５５】
（４）
この空気調和装置１では、室内ファンモータ７２がアウターロータ型のモータである。したがって、室内ファンモータ７２がインナーロータ型のモータである場合に比べて、室内ファンモータ７２の回転軸方向の長さが短くなる。このため、この空気調和装置１では、室内ファンモータ７２が占めるスペースが低減される。
【００５６】
（５）
この空気調和装置１では、第１軸受け保持部７５２が、クロスフローファン７１のエンドプレート７１０に対向するステータ対向面Ｐ１からクロスフローファン７１のエンドプレート７１０に向かって突出している。したがって、例えば空気調和装置１の搬送時などにおいて、ロータ７２１がステータ７２０に向かって移動することがあっても、ロータ７２１は、ステータ７２０と衝突する前に第１軸受け保持部７５２と当接する。また、第２軸受け保持部７６２が、クロスフローファン７１のエンドプレート７１１に対向する支持部対向面Ｐ２からクロスフローファン７１のエンドプレート７１１に向かって突出している。したがって、例えば空気調和装置１の搬送時などにおいて、クロスフローファン７１が支持部７８に向かって移動することがあっても、クロスフローファン７１は、支持部７８と衝突する前に第２軸受け保持部７６２と当接する。
【００５７】
このため、この空気調和装置１では、簡易な構成によりクロスフローファン７１とロータ７２１との破損が抑制される。
【００５８】
（６）
この空気調和装置１では、クロスフローファン７１を回転させる室内ファンモータ７２が、アウターロータ型のモータである。このため、室内ファンモータがインナーロータ型のモータである場合と比べて、回転軸Ａ１方向の長さが短くなる。このため、この空気調和装置１では、室内ファンモータ７２の占めるスペースを低減することができる。
【００５９】
〔第２実施形態〕
＜空気調和装置の全体構成＞
本発明の第２実施形態が採用された空気調和装置１０１の外観を図１２に示す。
【００６０】
この空気調和装置１０１は、調和された空気を室内に供給するための装置である。空気調和装置１０１は、室内の壁面などに取り付けられる室内機１０２と、室外に設置される室外機１０３とを備えている。室内機１０２内には室内熱交換器１５０が収納され、室外機１０３内には室外熱交換器（図示せず）が収納される。これら室内熱交換器１５０と室外熱交換器とが冷媒配管１０４により互いに接続されている。
【００６１】
ここで、本発明の第２実施形態では、室内機１０２を除いた構成は第１実施形態の構成と同一のため、同一部分の構成については説明を省略し、室内機１０２の説明のみ行うものとする。
【００６２】
＜室内機の構成＞
室内機１０２は、正面視に置いて横方向に長い形状を有している（図１２参照）。室内機１０２は、主として、上部ケーシング１０６、送風機構１０７および室内機１０２の内部に収容されている室内熱交換器ユニット１０５（図１３参照）によって構成されている。上部ケーシング１０６は、室内機１０２の上部を覆っている。送風機構１０７は、室内機１０２の下部を構成している。
【００６３】
以下、図１３を参照して、室内機１０２の各構成について説明する。
【００６４】
室内熱交換器ユニット１０５は、室内熱交換器１５０、補助配管（図示せず）、等によって構成されている。
【００６５】
この室内熱交換器１５０は、クロスフローファン８１の円周面に対向して配置されており、クロスフローファン８１の前方、上方および後方を取り囲むように取り付けられている。室内熱交換器１５０は、クロスフローファン８１が回転することにより吸い込み口１６０、１６１から吸い込まれた空気をクロスフローファン８１側に通過させ、伝熱管の内部を通過する冷媒との間で熱交換を行わせる。
【００６６】
補助配管は、室内熱交換器１５０と室内機１０２の外部にある冷媒配管１０４とを繋ぐ。この補助配管には、室内熱交換器１５０と室外熱交換器（図示しない）との間を行き来する冷媒が流れる。
【００６７】
＜送風機構の構成＞
送風機構１０７は、室内熱交換器１５０において熱交換された空気を室内に送風するための装置である。送風機構１０７は、室内機１０２の下部を構成しており、図１３および図１４に示すように、下部ケーシング８０、送風ユニット１０８等がモジュール化されて構成されている。
【００６８】
（下部ケーシング）
下部ケーシング８０は、外面部８９、支持部８８等によって構成されている。
【００６９】
外面部８９は、正面視において室内機１０２の外面として視野に現れる部分であり、上端が室内機１０２の前側に傾斜するように配置されている。また、外面部８９には、室内機１０２の長手方向に沿う開口からなる吹き出し口８４１が設けられている。この吹き出し口８４１は、図１３に示すように、クロスフローファン８１が収納されている支持部８８の内部の空間に連通しており、クロスフローファン８１によって生成された空気流は吹き出し口８４１を通って室内へと吹き出す。また、吹き出し口８４１には、室内へと吹き出す空気が案内される水平フラップ８４２が設けられている。水平フラップ８４２は、室内機１０２の長手方向に平行な軸を中心に回動自在に設けられている。この水平フラップ８４２は、フラップモータ（図示せず）によって回転駆動されることにより、吹き出し口８４１の開閉を行うことができる。
【００７０】
支持部８８は、外面部８９によって囲まれている。支持部８８には、上方から送風ユニット１０８、電装品箱８３、室内熱交換器ユニット１０５等が取り付けられる。そして、支持部８８は、送風ユニット１０８、電装品箱８３、室内熱交換器ユニット１０５等を下方から支持する。
【００７１】
＜送風ユニット＞
送風ユニット１０８は、クロスフローファン８１と、クロスフローファン８１を回転させるための室内ファンモータ８２と、室内ファンモータ８２の駆動を制御するための電装品を収納する電装品箱８３と、クロスフローファン８１を支持するための軸受け部８４とを有している。
【００７２】
（クロスフローファン）
クロスフローファン８１は、ＡＳ樹脂などの樹脂製品であり、長細い円筒形状に構成される。このクロスフローファン８１は、中心軸すなわち回転軸Ａ１が水平になるように配置される。また、クロスフローファン８１は、図１５に示すように、エンドプレート８１０、８１１と、第１シャフト８１２と、第２シャフト８１３と、羽部８１４とを有している。エンドプレート８１０、８１１は、クロスフローファン８１の両端に設けられている。エンドプレート８１０は、クロスフローファン８１と後述するロータ８２１との連結のために、クロスフローファン８１に設けられている。第１シャフト８１２はエンドプレート８１０の略中央、回転軸Ａ１上に配置され、エンドプレート８１０に連結されている。第２シャフト８１３はエンドプレート８１１の略中央、回転軸Ａ１上に配置され、エンドプレート８１１に連結されている。これら第１シャフト８１２と第２シャフト８１３とは、クロスフローファン８１が回転する際の回転軸となる。羽部８１４は、クロスフローファン８１の両端に設けられるエンドプレート８１０の間に配置され、近傍の空気を押すことにより空気流を発生させる。
【００７３】
このようなクロスフローファン８１が回転軸周りに回転することにより、空気流を生成する。この空気流は、吸い込み口１６０、１６１から取り入れられ室内熱交換器１５０を通り吹き出し口８４１から室内へと吹き出す空気の流れである。クロスフローファン８１は、側面視において室内機１０２の概ね中央に位置している。
【００７４】
（室内ファンモータ）
室内ファンモータ８２は、クロスフローファン８１を回転軸周りに回転駆動する。室内ファンモータ８２は、図１４に示すような、薄型アウターロータ型のモータである。この室内ファンモータ８２は、図１５および図１９に示すように、ロータ８２１とステータ８２０とを有している。
【００７５】
ロータ８２１は、微小な磁石粒を含む樹脂により形成されており、後述するステータ８２０の発生する磁界により回転軸Ａ１を中心に回転する。ロータ８２１は、円筒部８２１ａと円筒部８２１ａの一端に一体に形成される底部８２１ｂとからなっている。このロータ８２１は、底部８２１ｂにおいて、カシメ、ネジ、リベット、ピンなどでクロスフローファン８１に固定されたり、接着剤などでクロスフローファン８１に接着されたりして、クロスフローファン８１に連結されている。また、ロータ８２１は、ステータ８２０の径方向外方に配置されている。
【００７６】
ステータ８２０は、ロータ８２１を回転させるためのものであり、磁界を発生させるための図示しない鉄心やコイルなどを有する。ステータ８２０には、径方向外方に突出した環状部８２０ａが一体に形成されている。この環状部８２０ａには、径方向外方に突出した突出部８２０ｂが、室内機１０２の正面側および背面側および室内機１０２の下部側の３箇所に形成されている。そして、緩衝部８２６が３箇所の突出部８２０ｂそれぞれに装着される。緩衝部８２６は、たとえばゴム製の直方体形状の部品である。緩衝部８２６には凹部８２６ａが形成されており、この凹部８２６ａが突出部８２０ｂに嵌合されている。このように装着された緩衝部８２６は、緩衝部８２６の径方向外方側がロータ８２１の外周面の位置より外方側に突出している。また、緩衝部８２６の径方向内方側が、ロータ８２１の外周面の位置より内方側に配置されている。そして、緩衝部８２６の径方向内方側の一部が、環状部８２０ａとロータ８２１の円筒部８２１ａの他端との回転軸方向間に配置されている。ここで、ステータ８２０は、緩衝部８２６の径方向外方側において、支持部８８に支持される。
【００７７】
（軸受け部）
軸受け部８４は、ステータ軸受け部８５と、支持部軸受け部８６とを有する（図１５参照）。ステータ軸受け部８５には、第１軸受け８５１と、第１軸受け保持部８５２とが設けられている。支持部軸受け部８６には、第２軸受け８６１と、第２軸受け保持部８６２とが設けられている。
【００７８】
第１軸受け８５１は、樹脂製の部材であって、ステータ８２０の略中央部に配置される。この第１軸受け８５１は、クロスフローファン８１が回転軸Ａ１方向に移動できるように第１シャフト８１２を軸支している。第１軸受け保持部８５２は、合成樹脂製の円筒形状の部品であって、クロスフローファン８１の回転による第１軸受け８５１の振動を抑制するように第１軸受け８５１を支持している。
【００７９】
第２軸受け８６１は、第１軸受け８５１と同様の樹脂製の部材であって、クロスフローファン８１のエンドプレート８１１と対向する支持部８８の一部に設けられる。この第２軸受け８６１は、クロスフローファン８１が回転軸Ａ１方向に移動できるように第２シャフト８１３を軸支している。第２軸受け保持部８６２は、ゴム製の円筒形状の部品であって、クロスフローファン８１の回転による第２軸受け８６１の振動を抑制するように第２軸受け８６１を支持している。また、第２軸受け保持部８６２は、クロスフローファン８１のエンドプレート８１１に対向する支持部対向面Ｐ２からクロスフローファン８１のエンドプレート８１１に向かって突出している。なお、クロスフローファン８１の円滑な回転のためには、クロスフローファン８１の回転時において、エンドプレート８１１と第２軸受け保持部８６２とが当接しないことが望ましい。
【００８０】
＜クロスフローファンとロータとの移動＞
以下に、クロスフローファン８１とロータ８２１とが回転軸Ａ１方向に移動する場合における各部の動きについて説明する。
【００８１】
初めに、クロスフローファン８１とロータ８２１とが、ステータ８２０に向かって移動する場合について図１６〜図１８を参照して説明する。まず、クロスフローファン８１とロータ８２１とが、ステータ８２０に向かって移動しはじめる（図１６参照）。その後、ロータ８２１の円筒部８２１ａの他端と緩衝部８２６とが当接する（図１７参照）。そして、緩衝部８２６が変形することにより、クロスフローファン８１とロータ８２１との運動エネルギが低減される（図１８参照）。ロータ８２１の円筒部８２１ａの他端から緩衝部８２６へ押圧されなくなると、緩衝部８２６の形状は復元される。
【００８２】
次に、クロスフローファン８１とロータ８２１とが、支持部８８に向かって移動する場合について説明する。この場合の各部の動きについては、第１実施形態と同様であるため、第１実施形態の図９〜図１１を参照しながら説明する。まず、クロスフローファン８１とロータ８２１とが、支持部８８に向かって移動しはじめる（図９参照）。その後、クロスフローファン８１のエンドプレート８１１と第２軸受け保持部８６２とが当接する（図１０参照）。そして、第２軸受け保持部８６２が変形することにより、クロスフローファン８１とロータ８２１との運動エネルギが低減される（図１１参照）。エンドプレート８１１から第２軸受け保持部８６２へ押圧されなくなると、第２軸受け保持部８６２の形状は復元される。
【００８３】
＜本空気調和装置の特徴＞
（１）
この空気調和装置１０１では、緩衝部８２６が、ロータ８２１からステータ８２０に向かう方向のクロスフローファン８１とロータ８２１との運動エネルギを低減する。したがって、例えば空気調和装置１０１の搬送時などにおいて、ロータ８２１がステータ８２０に向かって移動することがあっても、緩衝部８２６が、ロータ８２１とステータ８２０との回転軸Ａ１方向の衝突による衝撃を緩衝することができる。
【００８４】
また、第２軸受け保持部８６２が、クロスフローファン８１から支持部８８に向かう方向のクロスフローファン８１とロータ８２１との運動エネルギを低減する。したがって、例えば空気調和装置１０１の搬送時などにおいて、クロスフローファン８１が支持部８８に向かって移動することがあっても、第２軸受け保持部８６２は、クロスフローファン８１と支持部８８との回転軸Ａ１方向の衝突による衝撃を緩衝することができる。
【００８５】
このため、この空気調和装置１０１では、簡易な構成によりクロスフローファン８１とロータ８２１との破損が抑制される。
【００８６】
（２）
この空気調和装置１０１では、緩衝部８２６と第２軸受け保持部８６２とが、弾性体であるゴムから形成されている。したがって、緩衝部８２６と第２軸受け保持部８６２とが、クロスフローファン８１とロータ８２１との運動エネルギを容易に低減することができる。
【００８７】
このため、この空気調和装置１０１では、簡易な構成によりクロスフローファン８１とロータ８２１との破損が抑制される。
【００８８】
（３）
この空気調和装置１０１では、クロスフローファン８１を回転させる室内ファンモータ８２が、アウターロータ型のモータである。このため、室内ファンモータ８２がインナーロータ型のモータである場合と比べて、回転軸Ａ１方向の長さが短くなる。このため、この空気調和装置１０１では、室内ファンモータ８２の占めるスペースを低減することができる。
【００８９】
（４）
この空気調和装置１０１では、緩衝部８２６の径方向内方側の一部が、環状部８２０ａとロータ８２１の円筒部８２１ａの他端との回転軸方向間に配置されている。したがって、例えば空気調和装置１０１の搬送時などにおいて、ロータ８２１がステータ８２０に向かって移動することがあっても、ロータ８２１は、ステータ８２０と衝突する前に緩衝部８２６と当接する。また、第２軸受け保持部８６２が、クロスフローファン８１のエンドプレート８１１に対向する支持部対向面Ｐ２からクロスフローファン８１のエンドプレート８１１に向かって突出している。したがって、例えば空気調和装置１０１の搬送時などにおいて、クロスフローファン８１が支持部８８に向かって移動することがあっても、クロスフローファン８１は、支持部８８と衝突する前に第２軸受け保持部８６２と当接する。
【００９０】
このため、この空気調和装置１０１では、簡易な構成によりクロスフローファン８１とロータ８２１との破損が抑制される。
【００９１】
＜他の実施の形態＞
以上、本発明について説明したが、具体的な構成は、上記の実施の形態に限られるものではなく、発明の要旨を逸脱しない範囲で変更可能である。
【００９２】
（ａ）
第１実施の形態では、第１軸受け保持部７５２が、ロータ７２１とステータ７２０との回転軸Ａ１方向の衝突による衝撃を緩衝している。さらに、第２軸受け保持部７６２が、クロスフローファン７１と支持部７８との回転軸Ａ１方向の衝突による衝撃を緩衝している。これに代えて、第１軸受け保持部と第２軸受け保持部とのいずれかが、送風機構に設けられてもよい。
【００９３】
（ｂ）
第１実施の形態では、ゴム製の第１軸受け保持部７５２が、ロータ７２１とステータ７２０との回転軸Ａ１方向の衝突による衝撃を緩衝している。さらに、ゴム製の第２軸受け保持部７６２が、クロスフローファン７１と支持部７８との回転軸Ａ１方向の衝突による衝撃を緩衝している。これに代えて、ゴム以外の弾性体（バネ、ダンパなど）を用いて、ロータとステータとの回転軸方向の衝突による衝撃と、クロスフローファンと支持部との回転軸方向の衝突による衝撃とを緩衝してもよい。
【００９４】
（ｃ）
第１実施の形態では、第１軸受け保持部７５２がステータ７２０の略中央部に設けられている。これに代えて、第１軸受け保持部がクロスフローファンまたはロータの略中央部に設けられてもよい。この場合、第１軸受けもクロスフローファンまたはロータの略中央部に設けられ、第１シャフトはステータに連結される。
【００９５】
（ｄ）
第１実施の形態では、ロータ７２１と第１軸受け保持部７５２とを当接させ、第１軸受け保持部７５２を変形させることで、ロータ７２１とステータ７２０との回転軸Ａ１方向の衝突による衝撃を緩衝している。これに代えて、エンドプレートと第１軸受け保持部とを当接させ、第１軸受け保持部を変形させることで、ロータとステータとの回転軸方向の衝突による衝撃を緩衝してもよい。例えば、図２０に示すように、ロータ９２１の回転中心部に円形状の開口部９２１ａを設け、クロスフローファン９１のエンドプレート９１０からステータ対向面Ｐ１に向けて環状のリブ部９１０ａを突出させる。そして、リブ部９１０ａの端部９１０ｂと第１軸受け保持部９５２とを当接させて、第１軸受け保持部９５２を変形させる。このようにして、ロータ９２１とステータ９２０との回転軸Ａ１方向の衝突による衝撃を緩衝してもよい。なお、ここではエンドプレート９１０からリブ部９１０ａを突出させ、リブ部９１０ａの端部９１０ｂと第１軸受け保持部９５２とを当接させているが、エンドプレート９１０からリブ部９１０ａを突出させないで、第１軸受け保持部９５２の突出している部分を長くして、エンドプレート９１０に第１軸受け保持部９５２を直接当接させてもよい。
【００９６】
（ｅ）
第２実施の形態では、ゴム製の緩衝部８２６が、ロータ７２１とステータ７２０との回転軸Ａ１方向の衝突による衝撃を緩衝している。さらに、ゴム製の第２軸受け保持部８６２が、クロスフローファン８１と支持部８８との回転軸Ａ１方向の衝突による衝撃を緩衝している。これに代えて、ゴム以外の弾性体を用いて、ロータとステータとの回転軸方向の衝突による衝撃と、クロスフローファンと支持部との回転軸方向の衝突による衝撃とを緩衝してもよい。
【００９７】
（ｆ）
第１および第２実施の形態では、第２軸受け保持部７６２，８６２が支持部７８，８８の一部に設けられている。これに代えて、第２軸受け保持部が支持部に対向するエンドプレートの略中央部に設けられてもよい。この場合、第２軸受けもエンドプレートの略中央部に設けられ、第２シャフトは支持部に連結される。
【００９８】
（ｇ）
第１および第２実施の形態では、室内ファンモータ７２は、アウターロータ型のモータであるが、クロスフローファンが回転軸方向に移動可能であれば、室内ファンモータがインナーロータ型のモータであってもよい。
【図面の簡単な説明】
【００９９】
【図１】本発明の第１実施の形態が採用される空気調和装置の外観図。
【図２】冷媒回路の構成図。
【図３】室内機の右側面断面図。
【図４】送風ユニットの上面図。
【図５】クロスフローファンと室内ファンモータと支持部の一部とのＸ―Ｘ断面図。
【図６】クロスフローファンと室内ファンモータのＸ―Ｘ断面図。
【図７】クロスフローファンと室内ファンモータのＸ―Ｘ断面図。
【図８】クロスフローファンと室内ファンモータのＸ―Ｘ断面図。
【図９】クロスフローファンと支持部の一部とのＸ―Ｘ断面図。
【図１０】クロスフローファンと支持部の一部とのＸ―Ｘ断面図。
【図１１】クロスフローファンと支持部の一部とのＸ―Ｘ断面図。
【図１２】本発明の第２実施の形態が採用される空気調和装置の外観図。
【図１３】本発明の第２実施形態による前記第１実施形態の図３に相当する図。
【図１４】本発明の第２実施形態による前記第１実施形態の図４に相当する図。
【図１５】本発明の第２実施形態による前記第１実施形態の図５に相当する図。
【図１６】本発明の第２実施形態による前記第１実施形態の図６に相当する図。
【図１７】本発明の第２実施形態による前記第１実施形態の図７に相当する図。
【図１８】本発明の第２実施形態による前記第１実施形態の図８に相当する図。
【図１９】本発明の第２実施形態による緩衝部が装着されたステータとロータおよびクロスフローファンとの外観図。
【図２０】本発明の他の実施形態による前記第１実施形態の図６に相当する図。
【符号の説明】
【０１００】
１，１０１                  空気調和装置
７，１０７                  送風機構（送風装置）
５０，１５０                室内熱交換器（空気調和部）
７１，８１，９１            クロスフローファン（ファンロータ）
７２０，８２０，９２０      ステータ（モータ固定子）
７２１，８２１，９２１      ロータ（モータ回転子）
７５１，８５１              第１軸受け（軸受け）
７５２，８５２，９５２      第１軸受け保持部（第１および他の実施形態の緩衝部）
７６１，８６１              第２軸受け（軸受け）
７６２，８６２              第２軸受け保持部（第１および第２実施形態の緩衝部）
７１２，８１２              第１シャフト（回転軸）
７１３，８１３              第２シャフト（回転軸）
８２０ａ                    環状部
８２０ｂ                    突出部
８２１ａ                    円筒部
８２１ｂ                    底部
８２６ａ                    凹部
８２６                      緩衝部（第２実施形態の緩衝部）
９１０ａ                    リブ部
９１０ｂ                    リブ部の端部
９２１ａ                    開口部
Ｐ１                        ステータ対向面（対向面）
Ｐ２                        支持部対向面（対向面）
【図１】
2008121688.tif 000003
【図２】
2008121688.tif 000004
【図３】
2008121688.tif 000005
【図４】
2008121688.tif 000006
【図５】
2008121688.tif 000007
【図６】
2008121688.tif 000008
【図７】
2008121688.tif 000009
【図８】
2008121688.tif 000010
【図９】
2008121688.tif 000011
【図１０】
2008121688.tif 000012
【図１１】
2008121688.tif 000013
【図１２】
2008121688.tif 000014
【図１３】
2008121688.tif 000015
【図１４】
2008121688.tif 000016
【図１５】
2008121688.tif 000017
【図１６】
2008121688.tif 000018
【図１７】
2008121688.tif 000019
【図１８】
2008121688.tif 000020
【図１９】
2008121688.tif 000021
【図２０】
2008121688.tif 000022